(57)【特許請求の範囲】
【請求項１】
伸縮自在な材料を使用しかつ一部が細径化され、さらに一端側が開口しかつ他端側が閉塞された有底筒状体からなり、この有底筒状体により光ファイバケーブル又は光ファイバコードに装着した光コネクタ及び前記光ファイバケーブル又は光ファイバコードの一部を覆う牽引端本体部と、
内径が可変自在に構成され、前記牽引端本体部の細径化された部位に装着された状態で内径を小さくすることで前記検索端本体部を光ファイバケーブル又は光ファイバコードに締め付けて締結するストップリングと、
前記牽引端本体部の底部に設けられ、牽引索が取り付けられる牽引索取付部と
を具備することを特徴とする牽引端。
【請求項２】
前記ストップリングとして、リング内径を変えられる締め部を有するリングを用いることを特徴とする請求項１に記載の牽引端。
【請求項３】
前記ストップリングとして、割り部を設けたリングを用いることを特徴とする請求項１又は２に記載の牽引端。
【請求項４】
請求項１乃至３のいずれかに記載の牽引端を用い、前記牽引端を光ファイバケーブル又は光ファイバコードに取り付けると共に、前記牽引端に牽引索を取り付けた後、前記牽引索を配管中に挿通して牽引することを特徴とする牽引方法。
【発明の詳細な説明】
【技術分野】
【０００１】
本発明は、例えば複数階よりなる建物の縦系配管等の配管内にあらかじめ光コネクタが設けられた光ファイバケーブル又は光ファイバコードを挿通する際に利用する牽引端及び牽引方法に関するものである。
【背景技術】
【０００２】
現在、光ファイバケーブル又は光ファイバコードの牽引に利用されている牽引端としては、プリングアイやケーブルグリップ、テーピングなどがあり、例えば、プリングアイは光ファイバケーブルに装着し、そのテンションメンバをプリングアイの固定金具に固定し、プリングアイのカバーをテーピングで固定することで牽引できるようにしている。
【０００３】
また、ケーブルグリップに関しては、光ファイバケーブルにケーブルグリップを被せ、ケーブルグリップを締め付け、ビニルテープなどで巻きつけて固定することで、牽引することが出来る。
【０００４】
これらの牽引方法としては、牽引端に牽引索を取り付けて、そのまま牽引する方法がとられており、光ファイバケーブルが大きく、牽引距離や牽引するときの動摩擦力が大きな、地下光ファイバケーブルなどに利用されている。
【０００５】
一方、ビルの情報通信のために配管内へ光ファイバケーブル又は光ファイバコードを配線するためには、あらかじめ、その配管内に通線ワイヤやひもなどの牽引索を敷設しておき、牽引端などを特に利用せずに、その牽引索に光ファイバケーブルを縛り付けて牽引することや、あらかじめ光コネクタが設けられている光ファイバケーブルに関してはコネクタ部をキャップ状のもので保護し、そのキャップを牽引する方法がある（例えば、特許文献１参照。）。
【０００６】
【特許文献１】特開２００７-５２２７８号公報
【発明の開示】
【発明が解決しようとする課題】
【０００７】
ビルの情報通信のための光ファイバケーブル又は光ファイバコードの配線において、プリングアイはあらかじめ光コネクタが設けられた光ファイバケーブル又は光ファイバコードに対して用いる方法である。
【０００８】
また、ケーブルグリップに関しては、あらかじめ光コネクタが設けられている光ファイバケーブル又は光ファイバコードにも利用可能であるが、ケーブルグリップの仕組みから、ケーブルグリップが光フアイバケーブル又は光ファイバコードに対して締め付けるときに、最も出っ張っている部分である光コネクタ部分に負荷がかかるため、あらかじめ光コネクタが設けられている光ファイバケーブル又は光ファイバコードに関しては、その光コネクタ部分をケーブルグリップが締め付けることとなり、締め付けられた状態で牽引することで、その光コネクタ部分の破損を招くこととなる。
【０００９】
また、あらかじめ光コネクタが設けられている光ファイバケーブル又は光ファイバコードの光コネクタ部分にキャップを装着し、そのキャップを牽引することで光ファイバケーブル又は光ファイバコードを牽引すること（例えば、特許文献１参照。）は、十数ｍ〜数十ｍ程度の横系配管へ配線するときは配管に対する動摩擦力、光ファイバケーブル又は光ファイバコードの自重などによる光コネクタ部分に与える引張り力が大きくないため、光コネクタ部分に対する破損の影響は少ないが、縦系の配管に対してはその牽引距離が長ければ数十ｍ〜数百ｍにも及ぶことや、光ファイバケーブル又は光ファイバコードを縦系の配管の空間に吊るす状況になるため、その光ファイバケーブル又は光ファイバコードの自重に対する影響が大きいことなどから、光コネクタ部分に引張り力を加えて牽引すると、その光ファイバケーブル又は光ファイバコードを牽引する際の引張り力によって、光コネクタ部分を破損することが考えられる。
【００１０】
本発明は上記の事情に鑑みてなされたもので、牽引端本体部をあらかじめ光コネクタが設けられた光ファイバケーブル又は光ファイバコードの光ファイバケーブル又は光ファイバコード部分に締結することにより、光ファイバケーブル又は光ファイバコードに応力を集中して、光コネクタの過大な応力負荷による破損を防止し、光コネクタ付光ファイバケーブル又は光ファイバコードを容易且つ良好に牽引でき、牽引作業の作業性を向上できる牽引端及び牽引方法を提供することを目的とする。
【課題を解決するための手段】
【００１１】
上記目的を達成するために本発明の牽引端は、伸縮自在な材料を使用しかつ一部が細径化され、さらに一端側が開口しかつ他端側が閉塞された有底筒状体からなり、この有底筒状体により光ファイバケーブル又は光ファイバコードに装着した光コネクタ及び前記光ファイバケーブル又は光ファイバコードの一部を覆う牽引端本体部と、内径が可変自在に構成され、前記牽引端本体部の細径化された部位に装着された状態で内径を小さくすることで前記検索端本体部を光ファイバケーブル又は光ファイバコードに締め付けて締結するストップリングと、前記牽引端本体部の底部に設けられ、牽引索が取り付けられる牽引索取付部とを具備することを特徴とするものである。
【００１４】
また本発明は、前記牽引端において、ストップリングとして、リング内径を変えられる締め部を有するリングを用いることを特徴とするものである。
【００１５】
また本発明は、前記牽引端において、ストップリングとして、割り部を設けたリングを用いることを特徴とするものである。
【００１６】
また本発明の牽引方法は、前記牽引端を光ファイバケーブル又は光ファイバコードに取り付けると共に、前記牽引端に牽引索を取り付けた後、前記牽引索を配管中に挿通して牽引することを特徴とする。
【発明の効果】
【００１７】
本発明を用いることにより、主に縦系の配管に対してあらかじめ光コネクタが設けられた光ファイバケーブル又は光ファイバコードを配線する際に、直接光コネクタに対する引張り力を加えずに牽引端を牽引することが出来るため、牽引端の牽引時の光コネクタの破損を防ぎ、あらかじめ光コネクタが設けられた光ファイバケーブル又は光ファイバコードの牽引、敷設作業の作業性を向上させる効果がある。
【発明を実施するための最良の形態】
【００１８】
以下図面を参照して本発明の実施の形態を詳細に説明する。
図１は本発明の一実施形態に係る牽引端を示す構成説明図である。図１において、１１は牽引端、１２は牽引端本体部、１３は凹溝、１４は台座、１５は回転子、１６は牽引用フック、１７はストップリング、１８は光ファイバケーブル、１９は光コネクタ、２０はブーツである。
【００１９】
図１に示すように、光ファイバケーブル１８の端部には光コネクタ１９が設けられ、前記光コネクタ１９から光ファイバケーブル１８にブーツ２０が設けられる。
【００２０】
前記光コネクタ１９及び光ファイバケーブル１８の一部には牽引端１１を構成する有底筒状の牽引端本体部１２が覆われるようにして被せられる。前記牽引端本体部１２の開口部近傍には細径化した凹溝１３が設けられ、前記凹溝１３にはストップリング１７が取り付けられて牽引端本体部１２が光ファイバケーブル１８に締結される。前記牽引端本体部１２の底部外面には台座１４が設けられ、前記台座１４には回転子１５を介して牽引索取付部の一例である牽引用フック１６が設けられる。
【００２１】
尚、光ファイバケーブル１８の代わりに光ファイバコードを用いても同様に実施することができる。
【００２２】
図２は本発明の実施形態に係るストップリングを示す構成説明図である。図２において、２１はストップリング１７の締めねじ、２２はストップリング１７の締めねじ２１を含む締め部、２３はストップリング１７のリング部である。
【００２３】
図２に示すように、ストップリング１７の締め部２２で締めねじ２１を回すように締め付けたり、緩めたりすることにより、リング部２３の内径を変えることができるように構成される。
【００２４】
図３は本発明の実施形態に係る牽引端の光ファイバケーブルへの装着を示す説明図である。図３に示すように、牽引端１１の牽引端本体部１２を矢印Ａ方向に移動し、牽引端本体部１２の開口部中に光コネクタ１９及び光ファイバケーブル１８の一部を挿入するようにして、牽引端本体部１２により光コネクタ１９及び光ファイバケーブル１８の一部を被覆する。この場合、牽引端本体部１２の凹溝１３部を伸ばすようにして拡げて光コネクタ１９を挿入するようにする。
【００２５】
図４は本発明の実施形態に係る牽引端のリングの凹溝への装着を示す説明図である。図４に示すように、ストップリング１７の締め部２２で締めねじ２１を回すように締め付けを緩めて、リング部２３の内径を大きくして矢印Ｂ方向に移動し、リング部２３中に牽引端本体部１２を挿入するようにしてストップリング１７を凹溝１３部まで移動する。その後、締め部２２で締めねじ２１を回すように締め付けてリング部２３の内径を小さくし、牽引端本体部１２を光ファイバケーブル１８に締結する。
【００２６】
尚、ストップリングを矢印Ｃ方向から凹溝１３部に取り付ける場合にはリング部に割り部を設けたストップリングを用いるようにする。
【００２７】
また、ストップリングで牽引端本体部を光ファイバケーブルに締結する際、ストップリングの幅を調整することにより、ストップリングを光ファイバケーブルに押し付ける面積を調整して牽引端本体部の引張力を分散する設計とすることが可能である。
【００２８】
図５は本発明の他の実施形態に係る牽引端を示す構成説明図である。図５において、３１は牽引端、３２は牽引端本体部、３３は段差である。図５中、図１と同一部分は同一符号を付してその説明を省略する。図５に示すように、牽引端３１を構成する有底筒状の牽引端本体部３２の開口部近傍に細径化した段差３３を設けることにより、図１の凹溝１３と同様の機能を有することができ、段差３３にはストップリング１７が取り付けられて牽引端本体部３２が光ファイバケーブル１８に締結される。
【００２９】
図６は本発明の他の実施形態に係る牽引端に牽引索を取り付けた状態を示す構成説明図である。図６において、３４は牽引索である牽引ロープである。図６に示すように、牽引端３１の牽引用フック１６に牽引ロープ３４の端部に設けたループ部を係留して後、牽引ロープ３４を配管中に挿通して牽引する。
【００３０】
この牽引端３１は、牽引ロープ３４を引っ掛けるための牽引用フック１６、その牽引用フック１６を牽引ロープ３４を用いて牽引した際に、前記光ファイバケーブル１８が回転しないようにするための回転子１５、回転子１５を牽引端３１に牽引ロープ３４を用いて牽引した際に、光ファイバケーブル１８にねじれなどの応力が生じたときに回転子１５が回転することによって光ファイバケーブル１８に生じたねじれなどの応力を逃がすための回転子１５を牽引端３１に固定するための台座１４を備え、ストップリング１７を用いて牽引端３１を前記光ファイバケーブル１８へ備えるために、ストップリング１７が配管内で接触し、ストップリング１７の破損や脱落、配管への動摩擦力の増加などを防ぐために設けられた細径化部である段差３３が設けられ、前記段差３３へストップリング１７を備えることで牽引端３１の装着が完成する。
【００３１】
図７及び図８は本発明の実施形態に係る牽引方法を示す構成説明図である。図７及び図８に示すように、オフィスビルやマンションビル等の複数階建物４１の１階には主配電盤（ＭＤＦ）４２が設けられ、２階以上の各階には中間配電盤（ＩＤＦ）４３が設けられる。１階の主配電盤４２と２階の中間配電盤４３の間、２階の中間配電盤４３と３階の中間配電盤４３の間にはそれぞれ縦系配管４５が設けられる。
【００３２】
図７では、牽引端を光ファイバケーブル取り付けた牽引端装着済み光コネクタ付光ファイバケーブル４６の牽引端に牽引索４７を取り付けて後、前記牽引索４７を矢印Ｄ方向に縦系配管４５中に３階から１階に挿通し、その後、前記牽引索４７を矢印Ｄ方向に牽引することにより、牽引端装着済み光コネクタ付光ファイバケーブル４６を縦系配管４５中に挿通する。その後、牽引端装着済み光コネクタ付光ファイバケーブル４６から牽引端を除去後、光コネクタ付光ファイバケーブルを主配電盤４２及び中間配電盤４３に接続して配線する。
【００３３】
図８では、牽引端を光ファイバケーブル取り付けた牽引端装着済み光コネクタ付光ファイバケーブル４６の牽引端に牽引索４７を取り付けて後、前記牽引索４７を矢印Ｅ方向に縦系配管４５中に１階から３階に挿通し、その後、前記牽引索４７を矢印Ｅ方向に牽引することにより、牽引端装着済み光コネクタ付光ファイバケーブル４６を縦系配管４５中に挿通する。その後、牽引端装着済み光コネクタ付光ファイバケーブル４６から牽引端を除去後、光コネクタ付光ファイバケーブルを主配電盤４２及び中間配電盤４３に接続して配線する。
【００３４】
尚、牽引端の牽引端本体部は例えばゴム、繊維、合成樹脂等の伸縮可能な材料より構成することができる。
【００３５】
また、牽引端の牽引端本体部は有底筒状に限らず、円筒体の一方の開口部に蓋を取り付けようにしてもよい。
【００３６】
また、牽引端の牽引端本体部に凹溝や段差を設けなくても、ストップリングで牽引端本体部を光ファイバケーブルに締結することが可能である。
【００３７】
以上のように、あらかじめ光コネクタが設けられた光ファイバケーブル又は光ファイバコードを牽引する際に用いる牽引端であって、牽引端本体部をあらかじめ光コネクタが設けられた光ファイバケーブル又は光ファイバコードの光ファイバケーブル又は光ファイバコード部分に締結することにより、牽引端を牽引するとき、光ファイバケーブル又は光ファイバコードに引張り力が加えられて応力を集中し、光コネクタの過大な応力負荷による破損を防止し、光コネクタ付光ファイバケーブル又は光ファイバコードを容易且つ良好に牽引でき、牽引作業の作業性を向上できる。
【００３８】
特に、オフィスビルやマンションビル等の複数階建物における情報通信の配線のためにあらかじめ光コネクタが設けられた光ファイバケーブル又は光ファイバコードを主に縦系の配管へ配線する場合において、その光コネクタ部分を破損しないようにし、さらに容易に牽引することができる。
【００３９】
なお、本発明は、上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【図面の簡単な説明】
【００４０】
【図１】本発明の一実施形態に係る牽引端を示す構成説明図である。
【図２】本発明の実施形態に係るストップリングを示す構成説明図である。
【図３】本発明の実施形態に係る牽引端の光ファイバケーブルへの装着を示す説明図である。
【図４】本発明の実施形態に係る牽引端のリングの凹溝への装着を示す説明図である。
【図５】本発明の他の実施形態に係る牽引端を示す構成説明図である。
【図６】本発明の他の実施形態に係る牽引端に牽引索を取り付けた状態を示す構成説明図である。
【図７】本発明の実施形態に係る牽引方法を示す構成説明図である。
【図８】本発明の実施形態に係る牽引方法を示す構成説明図である。
【符号の説明】
【００４１】
１１…牽引端、１２…牽引端本体部、１３…凹溝、１４…台座、１５…回転子、１６…牽引用フック、１７…ストップリング、１８…光ファイバケーブル、１９…光コネクタ、２０…ブーツ、２１…締めねじ、２２…締め部、２３…リング部、３１…牽引端、３２…牽引端本体部、３３…段差、３４…牽引索である牽引ロープ、４１…複数階建物、４２…主配電盤（ＭＤＦ）、４３…中間配電盤（ＩＤＦ）、４５…縦系配管、４６…牽引端装着済み光コネクタ付光ファイバケーブル、４７…牽引索。
【図１】
0004852515.tif 000002
【図２】
0004852515.tif 000003
【図３】
0004852515.tif 000004
【図４】
0004852515.tif 000005
【図５】
0004852515.tif 000006
【図６】
0004852515.tif 000007
【図７】
0004852515.tif 000008
【図８】
0004852515.tif 000009